(57)【特許請求の範囲】
【請求項１】
頂板の中央部に内容物の注出筒を立設し押出容器の口部に設けた中栓と、該中栓の頂板の周縁部に上方に向けて立設した嵌合周壁に着脱自在に係合するカバーキャップとからなる押出容器用蓋機構において、前記注出筒は筆先状に形成され、かつ前記中栓の嵌合周壁が断続的に間隔を開けて周方向に２つ以上独立して立設されていることを特徴とする押出容器用蓋機構。
【請求項２】
前記注出筒の頂板からの高さ（Ｈ）が、該頂板の外径（Ｒ）に対して、０．２Ｒ≦Ｈ≦０．５Ｒの関係にある請求項１記載の押出容器用蓋機構。
【請求項３】
前記上蓋の天板は前記押出容器を倒立置き可能に形成している請求項１または２記載の押出容器用蓋機構。
【請求項４】
前記カバーキャップの天板内面に、前記注出筒と係合する凸部を設けた請求項１ないし３のいずれか１記載の押出容器用蓋機構。
【請求項５】
前記凸部の周囲にガイドリングを設けた請求項４記載の押出容器用蓋機構。
【発明の詳細な説明】
【０００１】
【発明の属する技術分野】
本発明は、マヨネーズ、ケチャップ、ドレッシング等の比較的低粘度の粘稠性内容物を収容する容器に使用する押出容器用蓋機構に関し、より詳しくは、容器口部に設けた中栓の注出筒から内容物を押出して、所望の箇所に注出したり、対象物に絵や文字などを施す際に、容器蓋としての機能を損なわずに、容器の蓋部分で視界が遮られないように中栓の形状に特徴を有する押出容器用蓋機構に関する。
【０００２】
【従来の技術】
従来の押出容器用蓋は、図１０、１１、１２に示すように、頂板ａの中央部に内容物の注出筒ｂを立設し押出容器ｃの口部に着脱可能に螺着する中栓ｄと、この中栓ｄの頂板ａの周縁部に立設した嵌合周壁ｅに着脱自在に係合し且つ注出筒ｂ口に係合する凸部を天板内面に設けたカバーキャップとからなるものである。
この押出容器用蓋は、通常、押出容器ｃ内にマヨネーズ、ケチャップ、ドレッシング等の比較的低粘度の粘稠な内容物を充填し、口部の天面にシール材を貼ったあとに押出容器ｃの口部に装着される。すなわち、この押出容器用蓋の中栓ｄを押出容器ｃの口部に螺着し、更に、この中栓ｄの嵌合周壁ｅの外側に係合突起ｆが設けられ、この係合突起ｆに対する係合凸条がカバーキャップの内側壁に設けられているため、中栓ｄにカバーキャップを係合することで全体として容器蓋を構成するようになっている。
【０００３】
したがって、消費者は、商品を入手した後、一旦、口部から押出容器用蓋を螺脱し、シール材を剥ぎ取り、再び口部に中栓ｄを螺着して、押出容器ｃを手指で押圧することにより内容物を取り出すことが出来る。その際、内容物がマヨネーズ、ケチャップ、ドレッシング等のような粘稠物の場合は、中栓ｄの注出筒ｂが比較的長ければ、押出容器ｃを筆持ちして、押圧しながら注出筒ｂの先端を対象食物にあてがって文字書きや絵柄描きすれば、対象食物上に任意のデコレーションを施すことが出来る。このように、対象食物上に遊び心で、ケチャップなどを使用した文字や絵柄を描くことが広く行われている。
【０００４】
【発明が解決しようとする課題】
上記の押出容器用蓋は、上述の通りその中栓ｄの頂板ａの周縁部に立設した嵌合周壁ｅがあるため、容器を筆持ちにして対象食品上に遊び心で内容物である上記した調味料を使用して文字や絵柄を描こうとすると、注出筒ｂの先端が嵌合周壁ｅに隠れてしまい、文字や絵を施す対象個所が見にくくなり、そのために、目線を下げなければならず、不自然な姿勢を取らざるを得ないという状態になる。
また、注出筒ｂを高くすれば描き易くはなるが、その分材料が増え作りづらくなり、最終的にコストパフォーマンスが低下するばかりでなく、倒立置きをするに際して座高が高くなる分、安定性にも欠けたものになる。
【０００５】
また、この中栓ｄの嵌合周壁ｅの外側に係合突起ｆが設けられ、この係合突起ｆに対する係合凸条が上蓋の内側壁に設けられているから、中栓ｄの嵌合周壁ｅにカバーキャップを係合させる際、中栓ｄの係合突起ｆをカバーキャップの係合凸条が乗り越える必要がある。しかしながら、中栓ｄの係合突起ｆ及び上蓋の係合凸条は、連続的に全周にわたって設けられた嵌合周壁ｅの外側及びカバーキャップの側壁に設けられているため、いずれも撓みづらく中栓ｄにカバーキャップを係合させづらいし、また、カバーキャップを取り外す時に大きな力が必要になる。更に、中栓ｄの頂板ａの周縁部に嵌合周壁ｅ全体が立設しているため、内容物が頂板ａ上にこぼれるとそれを除去しづらいという問題もある。
【０００６】
そこで、本発明の目的は、コストパフォーマンスを維持した状態で、対象物上に容器内容物を使用して文字や絵柄を描く際、注出筒の先端が低くてもよく見えて描き易く、且つ中栓にカバーキャップを着脱し易くすると共に、中栓の頂板上にこぼれた内容物を除去し易くした押出容器用蓋機構を提供することにある。
【０００７】
【課題を解決するための手段】
本発明は、上記目的を達成するために提案されたものであって、下記の構成からなることを特徴とするものである。
すなわち、本発明によれば、頂板の中央部に内容物の注出筒を立設し押出容器の口部に設けた中栓と、該中栓の頂板の周縁部に上方に向けて立設した嵌合周壁に着脱自在に係合するカバーキャップとからなる押出容器用蓋機構において、前記注出筒は筆先状に形成され、かつ前記中栓の嵌合周壁が断続的に間隔を開けて周方向に２つ以上独立して立設されていることを特徴とする押出容器用蓋機構が提供される。
【０００８】
また、本発明によれば、前記注出筒の頂板からの高さ（Ｈ）が、該頂板の外径（Ｒ）に対して、０．２Ｒ≦Ｈ≦０．５Ｒの関係にある上記押出容器用蓋機構が提供される。
【０００９】
また、本発明によれば、前記上蓋の天板は前記押出容器を倒立置き可能に形成している上記押出容器用蓋機構が提供される。
【００１０】
また、本発明によれば、前記カバーキャップの天板内面に、前記注出筒と係合  する凸部を設けた上記押出容器用蓋機構が提供される。
【００１１】
また、本発明によれば、前記凸部の周囲にガイドリングを設けた上記押出容器用蓋機構が提供される。
【００１２】
【発明の実施の形態】
以下に、図面を参照して本発明の実施の形態を説明する。
図１は本発明の実施の形態を示す押出容器用蓋機構（以下、単に、「押出容器用蓋」ということがある）を押出容器に螺着した状態の側面図、図２は図１の要部を拡大した断面図である。両図において、押出容器用蓋１は、頂板２の中央部に内容物３の注出筒４を立設し押出容器５の口部６に着脱可能に螺着する中栓７と、該中栓７の頂板２の周縁部に立設した嵌合周壁８に着脱自在に係合し且つ前記注出筒４に係合する凸部９を天板１０内面に設けたカバーキャップ１１とからなり、この中栓７の嵌合周壁８が断続的に間隔を開けて立設されているものである。
【００１３】
前記押出容器５は、図３に示すように、上から順次口部６、胴部２０及び底部２１を有し、口部６にネジ２２を螺刻していて、手指で主に胴部２０を押圧することにより容易に変形出来て、内容物３を口部６から押し出すことが出来るようにされている。そして、内容物３は、マヨネーズ、ケチャップ、ドレッシング等のような粘稠なものが最適であるが、特に限定されるものではなく、もちろん食品以外にシール材などの施工具としても使用できる。
【００１４】
この実施の形態では、前記押出容器用蓋１の中栓７は、前記押出容器５の口部６のネジ２２に沿うネジ３０を内側壁に螺刻した内筒３１を有し、この内筒３１の外部汚染を防止する外筒３２を内筒３１の外側に同心的に配しているが、内筒と外筒を必ずしも必要とするものではなく、内筒だけで構成されていてもよい。この外筒３２の外側壁にはスベリ止め３３が刻設され、押出容器５の口部６に中栓７を着脱する際の手指のスベリを防止している。
中栓の嵌合周壁８は、カバーキャップとの係合部として機能するものであり、頂板部から上方に向けて注出筒の先端中心と頂板部外周縁とを結ぶ直線を母線とする仮想円錐側面と交叉して立設される。
【００１５】
この中栓７の嵌合周壁８は、周方向に断続的に間隔を開けて立設されており、図５では４カ所で断続部３４が設けられ、中栓７の頂板２の周縁部に４つの独立した各周壁８ａ、８ｂ、８ｃ、８ｄがほぼ等間隔で立設している。立設する周壁は、周方向に２以上設けると共に、全周に占める割合が２０ないし７０％、好ましくは３０ないし５０％になるように設けることが望ましい。これにより、カバーキャップとの係合性を高めることができ、さらに、押出容器５の胴部２０を筆持ちして、注出筒４の先端注出口４ａを筆先に見立てて対象物に対して文字書きや絵柄描きをする際、断続部３４を利用して各周壁８ａ〜８ｄにより視線を遮られる分目線を高くすることが出来、それだけ自然体の姿勢を取ることができるため描き易くなる。なお、嵌合周壁８の間隔の大小、位置、形状に特に限定がないから、それらを適宜工夫することにより意匠性を高めることも可能となる。
【００１６】
また、中栓７の各周壁８ａ〜８ｄの外側に係合突起３５が設けられ、これらの係合突起３５に対する係合凸条３６がカバーキャップ１１の内側壁に設けられているため、中栓７にカバーキャップ１１を係合させる際、中栓７の係合突起３５をカバーキャップ１１の係合凸条３６が乗り越えなければならない。この際、各周壁８ａ〜８ｄは独立して立設しているためその分撓み易く、加えて撓みの程度を調節することができ、それによって係合強度を自在に設定できる。したがって、これらの要件を適宜設定することにより、カバーキャップ１１の係合凸条３６は中栓７の係合突起３５を容易に乗り越えて、中栓７にカバーキャップ１１を簡単に係合させることが出来るようになる。更に、中栓７の頂板２上に内容物３がこぼれても、断続部３４があるためその部分から内容物３を除去し易いというメリットもある。
【００１７】
ちなみに、前記注出筒４による文字書きや絵柄描きをし易くするためには、上述のように、嵌合周壁８に切欠いた断続部３４を設けて各周壁８ａ、８ｂ、８ｃ、８ｄとしなくても、注出筒４を長くすることによっても実現できる。しかしながら、注出筒４が長くなることは、その分カバーキャップ１１も長くなり、材料の使用量が多くなるため、成形性、生産性、コスト性も低下するし、倒立状態で載置するに際して安定性に欠けることにもなる。
本発明者らの実験によれば、この押出容器用蓋１における注出筒４の頂板２からの高さ（Ｈ）は、頂板２の外径（Ｒ）に対して、０．２Ｒ≦Ｈ≦０．５Ｒの関係にあるのが良い（図４参照）。注出筒４の高さ（Ｈ）が、０．２Ｒに満たないと、コスト面で有利となるが、注出筒４による文字書きや絵柄描きがしづらくなる。逆に、０．５Ｒを越えると、文字書きや絵柄描きがし易いが、材料費が増えてコスト高となる。
【００１８】
前記カバーキャップ１１は、押出容器５の開封後、すなわち、その口部６の天面に貼ってあるシール材２３を剥がした後、注出筒４に凸部９を係合させると共に中栓７に係合させて、押出容器５内の内容物３を漏れないようにし、中栓７の頂板２や注出筒４の外部汚染を防ぐ機能を備えている。この他に、カバーキャップ１１は、図６、７に示すように、その天板１０が平坦で広くなっていて押出容器５を倒立置き可能に形成してあり、更に、カバーキャップ１１の天板１０内面に設けた凸部９の周囲にガイドリング３７を設け、中栓７にカバーキャップ１１を係合する際、注出筒４に凸部９をガイドするようにしている。
【００１９】
次に、上記構成になる押出容器用蓋１の使用方法について説明する。
まず、予定した内容物３の種類・性質に沿う押出容器５及び押出容器用蓋１を選択し、押出容器５内に例えばマヨネーズ等の内容物３を入れ、押出容器５の口部６の天面に貼り付けるシール材２３を内筒３１内に装填し、その状態で口部６に中栓７を螺着し、更に中栓７にカバーキャップ１１を係合する。その後には、高周波加熱等によりシール材２３を容器口部６の天面に接着し密封する。
【００２０】
それ以外にも、押出容器５の口部６の天面に熱盤等によりシール材２３を接着し、その後口部６に中栓７を螺着し、中栓７にカバーキャップ１１を係合してもよい。
【００２１】
ユーザーは使用に際して、押出容器５の口部６から押出容器用蓋１を螺脱して口部６の天面からシール材２３を剥がし、再び口部６に中栓７を螺着する。この状態で押出容器５の胴部２０を手指で押圧すれば、中栓７の注出筒４の先端注出口４ａから内容物３を注出させることが出来る。中栓７の頂板２上に内容物３がこぼれて汚れたら、嵌合周壁の断続部３４を利用して内容物３を容易に除去することが出来る。その後、中栓７にカバーキャップ１１を係合する。
【００２２】
すなわち、中栓７の注出筒４の先端注出口４ａにガイドリング３７に導かれ凸部９が嵌められ、内容物３の漏れが完全に防止されるとともに、中栓７の各周壁８ａ〜８ｄがそれぞれ独自に撓んでこれらの係合突起３５をカバーキャップ１１の係合凸条３６が容易に乗り越えるから、中栓７にカバーキャップ１１が簡単に係合される。また、カバーキャップ１１の天板１０の広い平坦面を利用して、押出容器５を倒立置きすることができる。押出容器を倒立置きにすることにより、内容物３は不使用時には常に口部側にあるため、使用する時に注出筒４から直ぐに内容物３を注出できる。
【００２３】
そして、図９に示すように、内容物３にて対象物に対して文字書きや絵柄描きをする場合は、中栓７からカバーキャップ１１を外し、押出容器５の胴部２０を筆持ちして、注出筒４の先端注出口４ａを筆先に見立てて対象物に対して文字書きや絵柄描きをする。その際、各周壁８ａ〜８ｄの間にある断続部３４である隙間を利用して注出筒４の先端注出口４ａを見ることができ、各周壁８ａ〜８ｄによって視線を遮られないから、目線を高くして自然体で描くことが出来、それだけ描き易くなる。
【００２４】
本発明者らの実験によれば、中栓７の頂板の外径、周壁の高さ及び注出筒の高さを同一にして、図８の本発明の実施の形態と図１１の従来例とを対比すると、図８の本発明の実施形態では目線角度αが５１．０５度で注出筒４の先端注出口４ａを見ることが出来る。これに対して、図１１の従来例では目線角度βが５６．２４度でやっと注出筒４の先端注出口４ａを見ることが出来るようになる。また、図１１の従来例において、目線角度を本発明の実施形態と同じにすれば、注出筒４の元の高さにプラスしてγ＝２．１６ｍｍ高くしないと、注出筒４の先端注出口４ａを見ることが出来ないことがわかった。
【００２５】
以上、本発明の実施形態を説明したが、具体的な構成はこれに限定されず、本発明の要旨を逸脱しない範囲での変更や組み合わせは適宜なし得るものと理解すべきである。
【００２６】
【発明の効果】
以上詳述したように、本発明によれば、対象物に内容物を使用して文字や絵柄を描く際、中栓の嵌合周壁を周方向に断続的に間隔を開けて上方に向けて立設することにより、その断続部（隙間）を通して注出筒の筆先状に形成された先端を見ることができ、その分目線を高くすることができ、自然体で対象物に内容物を使用して文字や絵柄を描くことができる。そのため、中栓の注出筒の高さを低くでき、また立設された各周壁がそれぞれに独立して撓み易くなり中栓にカバーキャップを着脱し易くなり、更に各周壁の隙間から頂板上にこぼれた内容物や汚れを簡単に除去することができる。したがって、自然体で注出筒の先端がよく見えて対象物上に文字や絵柄を内容物を使用して描き易くなり、注出筒を最少長さにできてコストパフォーマンスに優れ、安定性に優れ、使い勝手が非常に良くなるという効果がある。
また、本発明によれば、注出筒の高さ（Ｈ）が、頂板の外径（Ｒ）に対して、０．２Ｒ≦Ｈ≦０．５Ｒの範囲に規制されるから、注出筒の高さを低くできる。したがって、上記効果に加えて、注出筒の高さ及び上蓋の高さを最少にすることが出来るため、材料費を節約することができ、最終的にコストパフォーマンスに優れたものになる効果がある。
また、カバーキャップの天板により押出容器を倒立置きしてあると、不使用時には、内容物が注出筒内の口部側に充満状態となっており、使用時に、内容物を直ぐに注出できる効果がある。
さらに、中栓にカバーキャップを係合する際、ガイドリングにより凸部を注出筒に係合するようにガイドし、注出筒に凸部を嵌めることにより内容物の漏れを防止することができる。
【図面の簡単な説明】
【図１】本発明の実施の形態を示す押出容器用蓋を押出容器に螺着した状態の断面図である。
【図２】図１の要部を拡大した断面図である。
【図３】本発明の実施の形態を示す押出容器用蓋を適用する押出容器の側面図である。
【図４】本発明の実施の形態を示す押出容器用蓋の一構成要素の中栓の側面図である。
【図５】本発明の実施の形態を示す押出容器用蓋の一構成要素の中栓の平面図である。
【図６】本発明の実施の形態を示す押出容器用蓋の一構成要素のカバーキャップの側面図である。
【図７】本発明の実施の形態を示す押出容器用蓋の一構成要素のカバーキャップの平面図である。
【図８】本発明の実施の形態を示す押出容器用蓋の使用状態の側面図である。
【図９】本発明の実施の形態を示す押出容器用蓋の使用状態の斜視図である。
【図１０】従来例の容器と蓋の係合状態を示す断面図である。
【図１１】従来例を示す図８と同状の平面図である。
【図１２】従来例を示す図５と同状の平面図である。
【符号の説明】
１                        押出容器用蓋
２，ａ                    頂板
３                        内容物
４，ｂ                    注出筒
４ａ                      先端注出口
５，ｃ                    押出容器
６                        口部
７，ｄ                    中栓
８，ｅ                    嵌合周壁
８ａ，８ｂ，８ｃ，８ｄ    立設各周壁
９                        凸部
１０                      天板
１１，ｇ                  カバーキャップ
２０                      胴部
２１                      底部
２２，３０                ネジ
２３                      シール材
３１                      内筒
３２                      外筒
３３                      スベリ止め
３４                      断続部
３５，ｆ                  係合突起
３６                      係合凸条
３７                      ガイドリング
【図１】
0004045115.tif 000002
【図２】
0004045115.tif 000003
【図３】
0004045115.tif 000004
【図４】
0004045115.tif 000005
【図５】
0004045115.tif 000006
【図６】
0004045115.tif 000007
【図７】
0004045115.tif 000008
【図８】
0004045115.tif 000009
【図９】
0004045115.tif 000010
【図１０】
0004045115.tif 000011
【図１１】
0004045115.tif 000012
【図１２】
0004045115.tif 000013